(57)【要約】【課題】ダム湖、湖、池等の周囲の乾湿法面の緑化あるいは植生を簡単かつ確実に行うことのできる工法、及びこれに使用する植生資材を提供すること。【解決手段】ダム湖、湖、池等の周囲に存在する乾湿法面１０に、次の各工程を経て直根型特殊竹２０を植え付けることにより、この乾湿法面１０の緑化を行う植生工法。  （１）直根型特殊竹２０の植栽が可能な植栽面１１を、乾湿法面１０に形成する工程；  （２）各植栽面１１上に直根型特殊竹２０を植え付ける工程。【選択図】図１
2007023501.tif 000002
【特許請求の範囲】
【請求項１】
ダム湖、湖、池等の周囲に存在する乾湿法面に、次の各工程を経て直根型特殊竹を植え付けることにより、この乾湿法面の緑化を行う植生工法。
（１）前記直根型特殊竹の植栽が可能な植栽面を、前記乾湿法面に形成する工程；
（２）前記各植栽面上に前記直根型特殊竹を植え付ける工程。
【請求項２】
前記工程（２）の直根型特殊竹を植え付けるにあたって、前記各植栽面上に、収納空間を形成することのできる植生枠または載置枠を設置しておき、その収納空間中に前記直根型特殊竹を挿入するようにしたことを特徴とする請求項１に記載の乾湿法面の緑化を行う植生工法。
【請求項３】
前記収納空間中に洗掘・吸出防止材を挿入してから、この洗掘・吸出防止材中に前記直根型特殊竹の挿入と、土または客土の投入とを行うようにしたことを特徴とする請求項２に記載の乾湿法面の緑化を行う植生工法。
【請求項４】
前記直根型特殊竹の根元表面に割栗石を投入することにより、前記直根型特殊竹の根元表面の洗掘を防止するようにしたことを特徴とする請求項１〜３のいずれかに記載の乾湿法面の緑化を行う植生工法。
【請求項５】
ダム湖、湖、池等の周囲に存在する乾湿法面上に植栽面を形成して、この植栽面上に直根型特殊竹を植え付ける植生工法において使用される植生資材であって、
この植生資材を、下面が前記植栽面上に設置される載置面となり、通孔を有する載置枠により構成し、この載置枠を前記植栽面上に設置したとき、前記乾湿法面との間に前記直根型特殊竹を収納するための収納空間の形成を可能にしたことを特徴とする載置枠。
【請求項６】
前記収納空間を形成したとき、前記載置枠の内側に当接可能な大きさで、中に入れた土または客土の洗掘と吸出しを防止する程度の網目を有した洗掘・吸出防止材を有したものとしたことを特徴とする請求項５に記載の載置枠。
【請求項７】
ダム湖、湖、池等の周囲に存在する乾湿法面上に植栽面を形成して、この植栽面上に直根型特殊竹を植え付ける植生工法において使用される植生資材であって、
この植生資材を、通孔を有する前面枠及び背面枠と、これらの前面及び背面枠を、折り畳み及び展開可能に側部にて連結する連結杆とにより構成した植生枠とし、前記植栽面上に設置されるに際し、前記直根型特殊竹を収納するための収納空間を有するものとして展開可能にしたことを特徴とする植生枠。
【請求項８】
前記収納空間を形成したとき、少なくとも前記前面枠の内側に当接可能な大きさで、中に入れた土または客土の洗掘と吸出しを防止する程度の網目を有した洗掘・吸出防止材を有したものとしたことを特徴とする請求項７に記載の植生枠。
【請求項９】
ダム湖、湖、池等の周囲に存在する乾湿法面の緑化を直根型特殊竹を使用して行う植生工法において使用され、前記乾湿法面の植栽されない部分の洗掘及び吸出しを防止するための植生資材であって、
この植生資材を、前記乾湿法面上の、前記直根型特殊竹が植栽されない部分を覆う接地シートと、この接地シート上に配置されて複数の消波凹凸を有した凹凸材と、この凹凸材を前記接地シートに固定するために、前記接地シートに固定される通水シートとにより構成したことを特徴とする洗掘・吸出防止マット。
【発明の詳細な説明】
【技術分野】
【０００１】
本発明は、ダム湖、湖、池等の周囲の法面であって、淡水または鹹水に完全に漬かったり、あるいは完全に露出して乾燥したりもする「乾湿法面」の緑化工法、これに使用する植生材料に関し、特に、植生植物として「蓬莱竹（ほうらいちく）、小町竹」を代表とする「直根型特殊竹」を積極的に利用するようにした乾湿法面の緑化工法、これに使用する植生材料に関するものである。
【背景技術】
【０００２】
ダム湖、湖、池等の周囲の法面であって、水没したり、完全に露出して乾燥状態が長く続いたりする「乾湿法面」は、その「植生」を行うことが一般に困難である。何故なら、例えばダム湖について考えてみれば、これは人や土木機械が入りにくい場所にあり、しかもその法面は人工的であることから急斜面となっていることが多いからである。
【０００３】
そして、このような「乾湿法面」は、水位の上下によって、長く完全に水没するかと思えば、渇水期には完全に乾燥状態になってしまい、植物を生育させてその根の力によって保護する「植生」を行うには全く不向きな場所である。つまり、このような「乾湿法面」の植生を行っても、水没してしまうことにより植生植物が枯死してしまう。このため、各地のダム湖や湖では、このような植生が行われていない赤茶けた「乾湿法面」が剥き出し状態で放置されたままとなって周囲の景観を損なっているだけでなく、乾湿法面が湖水によって洗掘されるままとされて崩壊の虞があるとともに、ますます景観が損なわれているのが現状である。
【０００４】
このような「乾湿法面」に対する「緑化」あるいは「植生」は、例えば、特許文献１〜特許文献５にて提案されているように、従来から様々な工法が試みられてきているのであるが、未だに十分なものとはなっていないのが実状である。
【特許文献１】特開平６−３２２７３１号公報、要約、代表図
【特許文献２】特開平７−３３１６６２号公報、要約、代表図
【特許文献３】特開２００３−７９２４２号公報、要約、代表図
【特許文献４】特開２００５−１４６６１９号公報、要約、代表図
【特許文献５】特開２０００−１５４５４６号公報、要約、代表図、段落０００６〜００１０
【発明の開示】
【発明が解決しようとする課題】
【０００５】
特許文献１には、「ダム湖、湖、池等の湛水面裸地法面の安定・修景を図る為に植物の根を利用して土石を拘束して法面の崩壊を防止すること」を目的としてなされた「ダム湖、湖、池等の湛水面裸地法面の緑化工法」が提案されている。
【０００６】
そして、この特許文献１に記載された「緑化工法」は、図１１にも示すように、「植生基盤材を充填した緑化ボックスをダム湖、湖、池等の湛水面裸地の植生を助長すべく整備した法面に植生基盤材入り縁化ボックス１を縦横に連続的に設置し、緑化ボックス１内で水陸両用植物８を根付かせその成長に従って根を背面の法面に侵入させて、根と地山を一体化させ」るという構成を有したものであり、これにより、「地山を拘束し、ダム湖、湖、池等の湛水面裸地法面の滑りや崩壊を防止する」といった作用あるいは効果が得られるものであると考えられる。
【０００７】
しかしながら、この特許文献１の「緑化工法」では、「水陸両用植物８を根付かせ」ることが最大の条件となっているが、そのような水陸両用植物８の具体的例は当該特許文献１中には記載されておらず、実際上は実施できないものとなっている。
【０００８】
特許文献２には、「湖等の湛水斜面の浸食・崩壊防止と景観の向上とを確実に為し得る緑化工法を提供すること」を目的としてなされた「ダム湖、湖、池等の湛水斜面の緑化工法」が示されているが、この緑化工法は、図１３にも示すように、「ダム湖、湖及び池等の湛水斜面１に複数の杭２を縦横方向に互いに所定の間隔を隔てて鉛直に打ち込み、杭２の背面に柵材３を立て込んだ後、湛水斜面１の整形及び植生基盤材の投入又はそのいずれか一方により湛水斜面１に植生基盤４を階段状に形成し、起立前面に補強筋５を配筋し、アンカー６を打ち込んでから、繊維等を配合した透水性コンクリートを吹付けて法枠７を形成し、植生基盤４の上面水平部に水生植物８を播種又は植栽する」という構成を有したものである。
【０００９】
この特許文献２の緑化工法によれば、「階段状に形成された植生基盤４は崩壊する虞れも衰退する虞れもなく、然も法枠７の透水性・断熱性により植生基盤４の過湿及び高低温化が防止されるから、植物は健全に生育し、その根の伸長によって時間の経過に伴い補強範囲・補強効果が拡大し、湖等の湛水斜面１の浸食・崩壊は防止され、緑化により景観が向上する」といった作用あるいは効果が得られるものと考えられるが、「植生基盤４の上面水平部に水生植物８を播種又は植栽する」という事実上困難な作業を行わなければならず、実際的な緑化工法ではないと考えられる。
【００１０】
特許文献３には、「ダム湖等の淡水湖に於いて、乾燥と冠水が絶えず繰り返される水位変動の激しい法面に対して、肥料や種子の流出や植生基盤自体の崩落をなくして確実に緑化できるようにする」ことを目的とした「浮体式緑化基盤」が提案されている。
【００１１】
この「浮体式緑化基盤」は、図１４にも示すように、「湛水湖の法面１０に杭１２を打設し、この杭１２に植生基盤２１，２２を備えた浮体１３を所定間隔にて複数個連結し、連結した最先端の浮体１３ａにフロート１５を取り付けるとともに、該フロート１５にロープ１６にてアンカー１７を連結し、このアンカー１７を湛水湖の湖底１８に沈設して構成されたこと」を特徴とする所謂「浮島工法」であるが、このような浮島工法だけによる緑化工法は、「浮島」自体に植生植物が生えるだけであって法面に根付くものではないから、法面は裸のままで洗掘されたり吸い出されたりすることになる。
【００１２】
なお、この特許文献３の工法では、その請求項５に、「上記浮体の植生基盤に植栽される植物は、ミズドクサまたはセキショウである」こと、つまり植生植物としてよいと考えられる「ミズドクサまたはセキショウ」が具体的に挙げられているが、これらの植物は所謂「草本類」であって長期にわたる植生が困難であると考えられる。
【００１３】
特許文献４には、「従来の護岸工法に比べてより安価に所望の裸地面の保護とその緑化を同時に達成することのできる護岸工法を提供すること」を目的とした「護岸工法」が提案されている。
【００１４】
この「護岸工法」は、図１５にも示すように、「河川、湖沼、ダム湖等の岸辺の傾斜した裸地面１に、メッシュ布付き網状体２を敷設し、この網状体２の上面に適宜径の丸太５またはロープ９よりなる複数の凸状体５Ａ（９Ａ）を等高線に沿うように連続的または断続的に形成」しなければならないものであり、この「網状体２の上面に適宜径の丸太５またはロープ９よりなる複数の凸状体５Ａ（９Ａ）を等高線に沿うように連続的または断続的に形成」する作業は、急な傾斜になっておりしかも人里離れた「ダム湖」のような場所では、その施工作業が非常に困難を極めると考えられる。
【００１５】
そこで、本発明者等は、施工を容易に行うことができて、できれば「木本類」による強固な植生が行えるようにするにはどうしたらよいか、について種々検討を重ねてきた結果、特許文献５に示されるような「蓬莱竹、小町竹」を代表とする「直根型特殊竹」使用する緑化工法を見出したのである。
【００１６】
この特許文献５にて提案されている「竹の植生を利用した土留め方法」は、「山林や造成地の法面の崩壊防止、災害により崩壊した法面の復旧、河川や池の護岸改修等のための土留めを強力に行うことができ、しかも、周辺環境にも馴染み、施工簡単で安価に行えるようにする」ことを目的としてなされたもので、図１６にも示すように、「蓬莱竹を代表とするバンブー種の竹２が土に接する節の部分から発根および発芽し根ｃが下方に強く伸びる性質を利用して土留めを行い、同時に緑化を行う。施工方法としては、切り取って２から３日以内（最長５日まで可）の竹を２稈３節以上の長さに切った竹材料を使用し、その竹材料１の節と節の間の稈の部分に注水しておいて、その竹材料１を一端側の節をわずかに地表割栗石６０に露出させ他端側の節を１０センチメートル以内の深さして斜めに土中に埋め込む。あるいは、打ち並べた杭３に竹材料１を渡してしがら（柵）に組み、背後に埋土をする」といった構成を有するものである。
【００１７】
そして、この特許文献５の発明者は、上記の発明をなすにあたって、当該文献５の段落０００６〜００１０に記載されているように、
・蓬莱竹を代表とするバンブー種の竹が、土中に埋設したときに節の部分から発根および発芽して、その根は横に広がらずに下方に強く長く伸びる性質を有している
・蓬莱竹の根は下方に強く伸びるので周辺に無秩序に竹の子を出すようなことがなく、土留めに限定した計画的な根の利用が可能である
・蓬莱竹は、特に３年生の竹の場合に発根率が高く、５年生まで可能である
・蓬莱竹は、これを水に浸けておけば、１カ月、２カ月といった長期保存も可能で、例えば河川，池の水辺等、そういった条件に適する場所において適性材料を使うことにより１００％に近い活着率が可能となる
といった植生植物として非常に好ましい種々な特性を有していることを見出したのであった。
【００１８】
しかしながら、この特許文献５に記載された「竹の植生を利用した土留め方法」は、当該文献５の段落０００６〜００１０に記載されているように、
・こうした性質を有する蓬莱竹の茎の部分を複数の節を含む長さに切った竹材料を用い、その竹材料を横向けにして各節の少なくとも一部が土に接するよう土を被せて埋め込まなければならないこと
・蓬莱竹は、根付きの竹を現地に搬入して現地で所定長さに刻みながら施工する場合と、切り取ったままの葉っぱの付いた状態、あるいは、葉っぱを取り除いた状態のものを現地に搬入して現地で刻み加工を施して施工する場合と、予め刻み加工を施した材料を現地に搬入し施工する場合とがあるが、いずれの場合も水分発散を少しでも遅らせることが重要で、施工時期は一般的に１２月から６月位までが好ましい
・切り取ってから２から３日以内に施工するのが好ましく、最長５日までは可能
・（施工方法としては）蓬莱竹をそのまま横向けにして一端のみ地表に露出するよう斜めに地中に埋め込む方法や、また、傾斜地面に打ち並べた杭に竹材料を渡して竹しがらを組み立てる方法があるが、いずれも施工条件を制限するものである。
【００１９】
そこで、本発明者等は、ダム湖、湖、池等の周囲の法面であって、淡水または鹹水に完全に漬かったり、あるいは完全に露出して乾燥したりもする「乾湿法面」の緑化あるいは植生を簡単かつ確実に行うにはどうしたらよいか、について種々検討を重ねてきた結果、本発明を完成したのである。
【００２０】
すなわち、本発明の目的とするところは、ダム湖、湖、池等の周囲の乾湿法面の緑化あるいは植生を簡単かつ確実に行うことのできる工法、及びこれに使用する植生資材を提供することにある。
【課題を解決するための手段】
【００２１】
以上の課題を解決するために、まず、請求項１に係る発明の採った手段は、後述する最良の形態の説明中において使用する符号を付して説明すると、
「ダム湖、湖、池等の周囲に存在する乾湿法面１０に、次の各工程を経て直根型特殊竹２０を植え付けることにより、この乾湿法面１０の緑化を行う植生工法。
【００２２】
（１）直根型特殊竹２０の植栽が可能な植栽面１１を、乾湿法面１０に形成する工程；
（２）各植栽面１１上に直根型特殊竹２０を植え付ける工程。」
である。
【００２３】
すなわち、この請求項１の発明に係る緑化工法は、直根型特殊竹２０が根２１をほぼ鉛直方向に延ばす植物であるという特性に着目してなされたもので、このことを有効に利用できるようにするために、まず、直根型特殊竹２０の植栽が可能な植栽面１１を、乾湿法面１０に形成するようにしたものである。
【００２４】
上記直根型特殊竹２０としては、「蓬莱竹」や「小町竹」が知られているが、入手が容易で代表的なものが「蓬莱竹」であるため、以下の説明では、この「直根型特殊竹２０」を「蓬莱竹２０」として説明して行くこともある。また、以下の説明では、「土」と「客土」とを区別して述べているところがあるが、その場合、「土」は、苗を育てるときに使用されて根についたままのものや、施工現場で発生した所謂「現地発生残土」を、また、「客土」は、外部から積極的に運んできて投入されるものを、それぞれ意味するものとする。
【００２５】
この植栽面１１の形成は、図１に示すように、上下方向についてほぼ隙間無く行っても、また図６に示すように、各植栽面１１間に乾湿法面１０の一部分を露出させるようにまばらに行ってもよいものである。なお、乾湿法面１０の一部分を露出させた場合には、この露出された乾湿法面１０に、後述するような洗掘・吸出防止マット４０を施工することもある。
【００２６】
各植栽面１１の形成は、乾湿法面１０の上から下に向けて順に行っていくことが自然である。この植栽面１１の形成にあたって、所謂「残土」が発生するが、この残土は、次の植栽面１１の形成に利用したり、あるいは、後述する植生枠３０Ａや載置枠３０Ｂに形成される収納空間Ｒの中に入れる土２３として利用してもよい。
【００２７】
各植栽面１１は、基本的には蓬莱竹２０を代表とする直根型特殊竹２０が植栽される箇所となるものであるから、完全な平面である必要はなく、図５に示すような、根２１やこれを囲んでいる土２３を保護したコモ包み２２、あるいは後述する植生枠３０Ａや載置枠３０Ｂ自体が安定した状態で載置され、かつ、蓬莱竹２０の根２１が鉛直下方に延びられるような状態になっていれば十分である。勿論、各植栽面１１の横方向については、連続させて形成しても、また間に乾湿法面１０を露出させたまま残すという断続状態で形成してもよい。
【００２８】
そして、以上のように形成した各植栽面１１に対しては、工程（２）のように、各植栽面１１上に蓬莱竹２０を植え付けるのである。この蓬莱竹２０の植え付け、つまり植栽にあたっては、上述したように、コモ包み２２によって保護された蓬莱竹２０を植栽面１１上に載置して、その載置周囲を、植栽面１１を形成したときの土２３（残土）や客土５０によって覆うようにしてもよいし、後述する植生枠３０Ａや載置枠３０Ｂを使用して植栽してもよいものである。
【００２９】
なお、植栽した各蓬莱竹２０の根元表面については、図２に示すように、割栗石６０を施工しておくとよい。この割栗石６０は、各蓬莱竹２０の根元表面の、湖水の流れや波に対する抵抗物となってその洗掘を防止することになるものである。
【００３０】
以上のような施工方法を採用すれば、単純に乾湿法面１０上に植栽面１１を形成すればよく、植栽面１１が形成されれば、その上に蓬莱竹２０を載置して必要な客土５０、あるいは土２３の投入や割栗石６０の施工だけで植栽が完了するのであり、資材の入りにくいダム湖における乾湿法面１０のような部分でも簡単に緑化施工が行えるのである。それだけでなく、植栽面１１に植栽された各蓬莱竹２０の根２１は、図１中の一番上に記載したもののように、植栽面１１から下方に無理なく延びていくことができ、各蓬莱竹２０の根付きが確実になることは勿論、この蓬莱竹２０の根２１によって乾湿法面１０の保護あるいは強化がなされるのである。
【００３１】
また、蓬莱竹２０を代表とする直根型特殊竹２０は、図１及び図６に示すように、湖水に埋没した状態でも生育するものであり、しかも、乾燥状態にも強いものであるから、乾湿法面１０の緑化を行うのに最適であるだけでなく、湖水中のリンや窒素の吸収も盛んに行うものである。このため、この蓬莱竹２０を施工したダム湖にあっては、リンや窒素のような栄養分が蓬莱竹２０によって常に吸収されることになって「富栄養化」が防止され、湖水にアオコのような植物性プランクトンの発生が抑制されることになって、常に青々とした綺麗な湖を形成することになるのである。
【００３２】
従って、この請求項１の植生方法によれば、蓬莱竹２０の利点を有効に利用した緑化が簡単に行えるのであり、ダム湖、湖、池等の乾湿法面１０の景観維持も行うことができるのである。
【００３３】
上記課題を解決するために、請求項２に係る発明の採った手段は、上記請求項１に記載の乾湿法面の緑化を行う植生工法について、
「工程（２）の植根型特殊竹２０を植え付けるにあたって、各植栽面１１上に、収納空間Ｒを形成することのできる植生枠３０Ａまたは載置枠３０Ｂを設置しておき、その収納空間Ｒ中に直根型特殊竹２０を挿入するようにしたこと」
である。
【００３４】
すなわち、この請求項２の植生工法では、後述する植生資材である植生枠３０Ａまたは載置枠３０Ｂを使用するものであり、これらの植生枠３０Ａまたは載置枠３０Ｂによって、植栽面１１上に蓬莱竹２０のための収納空間Ｒという植栽部分を積極的に形成するようにしたものである。植生資材としての植生枠３０Ａを使用する場合には、図３に示したような収納空間Ｒが形成できるのであり、載置枠３０Ｂを使用する場合は、図４に示したような収納空間Ｒが形成できるのである。
【００３５】
このような収納空間Ｒは、その周囲を構成している植生枠３０Ａや載置枠３０Ｂによって、収納された蓬莱竹２０の下部を安定的に保持することになるから、乾湿法面１０に対する蓬莱竹２０の植栽を確実に行うことになる。また、これらの載置枠３０Ｂや植生枠３０Ａは、その収納空間Ｒ内に蓬莱竹２０の挿入と、土２３や客土５０を投入するだけで蓬莱竹２０の植栽を簡単に行うことができ、当該植生工法をより簡単にすることができるのである。
【００３６】
従って、この請求項２の植生工法によれば、上記請求項１のそれと同様な効果を発揮する他、植生工法を簡略化でき、蓬莱竹２０の生育を確実なものとすることができるのである。
【００３７】
上記課題を解決するために、請求項３に係る発明の採った手段は、上記請求項２に記載の乾湿法面の緑化を行う植生工法について、
「収納空間Ｒ中に洗掘・吸出防止材３４を挿入してから、この洗掘・吸出防止材３４中に直根型特殊竹２０の挿入と、土２３または客土５０の投入とを行うようにしたこと」
である。
【００３８】
すなわち、この請求項３の植生工法では、図１、図２、あるいは図４に示すように、植生枠３０Ａまたは載置枠３０Ｂ内への蓬莱竹２０の挿入と、土２３や客土５０の投入とを行う前に、収納空間Ｒ中に洗掘・吸出防止材３４を挿入するようにしたものである。
【００３９】
洗掘・吸出防止材３４は、合成樹脂あるいは金属によって網状のものとして形成したもの、あるいは不織布のような材料によってシート状に形成したもの、さらにこれらを組み合わせたもの、そしてこれらの平らな状態のものだけでなく、筒状や袋状に形成したもの等が採用される。いずれも、洗掘・吸出防止材３４は、収納空間Ｒ内の土２３や客土５０が湖水等によって洗掘されないようにするだけでなく、植生枠３０Ａまたは載置枠３０Ｂ内へ入り込んだ水が外に出るとき（湖側に流れ出すとき）に、収納空間Ｒ内の土２３や客土５０をも外側に流出させてしまう（この現象は一般的に、吸出しと言われる）ことをフィルター作用によって防止するものであり、例えば客土５０を行う前に収納空間Ｒ内に収納されるものである。
【００４０】
勿論、この洗掘・吸出防止材３４は、載置枠３０Ｂの内側、あるいは植生枠３０Ａを構成している前面枠３１や背面枠３２の内側に予め、つまりこれらの載置枠３０Ｂや植生枠３０Ａを植栽面１１上に設置する前に取り付けておいても良いし、載置枠３０Ｂまたは植生枠３０Ａの設置後挿入するようにしても良い。
【００４１】
以上のような洗掘・吸出防止材３４を、載置枠３０Ｂや植生枠３０Ａが有していれば、収納空間Ｒ内の客土５０や土２３が湖水によって洗掘されたり吸い出されたりすることは、より一層防止されることになる。
【００４２】
従って、この請求項３の植生工法によれば、上記請求項２のそれと同様な効果を発揮する他、収納空間Ｒ内の土２３や客土５０の洗掘や吸出しを防止することができるのである。
【００４３】
上記課題を解決するために、請求項４に係る発明の採った手段は、上記請求項１〜３のいずれかに記載の乾湿法面の緑化を行う植生工法について、
「直根型特殊竹２０の根元表面に割栗石６０を投入することにより、直根型特殊竹２０の根元表面の洗掘を防止するようにしたこと」
である。
【００４４】
すなわち、この請求項４の植生工法では、図２に示すように、蓬莱竹２０の根元表面に割栗石６０を投入するものである。この割栗石６０は、湖水やその波によっては簡単に移動したり、洗掘されたりはしない大きさあるいは重さのものが採用される。
【００４５】
従って、この請求項４の植生工法は、上記請求項１〜３のいずれかに記載の乾湿法面１０の緑化を行う植生工法と同様な効果を発揮する他、蓬莱竹２０の根元表面の洗掘をより一層防止することができるのである。
【００４６】
上記課題を解決するために、請求項５に係る発明の採った手段は、
「ダム湖、湖、池等の周囲に存在する乾湿法面１０上に植栽面１１を形成して、この植栽面１１上に直根型特殊竹２０を植え付ける植生工法において使用される植生資材であって、
この植生資材を、下面が植栽面１１上に設置される載置面３１ａとなり、通孔を有する載置枠３０Ｂにより構成し、この載置枠３０Ｂを植栽面１１上に設置したとき、乾湿法面１０との間に直根型特殊竹２０を収納するための収納空間Ｒの形成を可能にしたことを特徴とする載置枠３０Ｂ」
である。
【００４７】
すなわち、この請求項５に係る発明は、図４に示すような構造の載置枠３０Ｂを、前述してきた請求項１〜４の植生工法において使用する植生資材としたものであり、下面が乾湿法面１０上に形成した植栽面１１上に設置される載置面３１ａとするとともに、通孔を有するものに構成したものである。
【００４８】
この載置枠３０Ｂは、植栽面１１上に設置したとき、その植栽面１１上に底面の載置面３１ａにて安定的に立てられることになるものであり、その設置作業を簡単に行えるようにしたものである。この載置面３１ａは、図４の（ロ）に示すような四角形状であってもよいし、図４の（ニ）に示すような円弧状であってもよいものであり、いずれにしても、その底面に当該載置枠３０Ｂの植栽面１１上に対する座りをよくするための載置面３１ａを有しているものである。なお、この載置枠３０Ｂの側面には、図４の（イ）あるいは（ハ）に示すように、アンカー３５を使用して乾湿法面１０に対して固定するための留部３１ｂが形成してある。
【００４９】
従って、この請求項５に係る載置枠３０Ｂは、その平面形状が四角か円弧であるため、植栽面１１上に設置したとき、図４の（ロ）あるいは（ニ）に示すように、乾湿法面１０との間に蓬莱竹２０を収納するための収納空間Ｒを形成することができるものであり、その載置枠３０Ｂによって収納空間Ｒ内の土２３や客土５０の洗掘あるいは吸出しを防止することができるものである。
【００５０】
上記課題を解決するために請求項６に係る発明の採った手段は、上記請求項５に係る載置枠３０Ｂについて、
「収納空間Ｒを形成したとき、載置枠３０Ｂの内側に当接可能な大きさで、中に入れた土２３または客土５０の洗掘と吸出しを防止する程度の網目を有した洗掘・吸出防止材３４を有したもの」
としても構成される。
【００５１】
すなわち、この載置枠３０Ｂは、上記請求項３の植生工法の説明で述べたように、載置枠３０Ｂの内側に配置される洗掘・吸出防止材３４を有するものであり、この洗掘・吸出防止材３４によって収納空間Ｒ内の土２３や客土５０の洗掘あるいは吸出しが防止されるものである。
【００５２】
この洗掘・吸出防止材３４は、乾湿法面１０の植栽面１１上に載置枠３０Ｂを設置する前に、その内側に取り付けておいても良いし、載置枠３０Ｂの設置後、挿入するようにしても良い。
【００５３】
従って、この請求項６の載置枠３０Ｂによれば、上記請求項５のそれと同様な効果を発揮する他、土２３や客土５０の洗掘・吸出防止をより一層効果的に行えるのである。
【００５４】
上記課題を解決するために、請求項７に係る発明の採った手段は、
「ダム湖、湖、池等の周囲に存在する乾湿法面１０上に植栽面１１を形成して、この植栽面１１上に直根型特殊竹２０を植え付ける植生工法において使用される植生資材であって、
この植生資材を、通孔を有する前面枠３１及び背面枠３２と、これらの前面及び背面枠３１・３２を、折り畳み及び展開可能に側部にて連結する連結杆３３とにより構成した植生枠３０Ａとし、植栽面１１上に設置されるに際し、直根型特殊竹２０を収納するための収納空間Ｒを有するものとして展開可能にしたことを特徴とする植生枠３０Ａ」
である。
【００５５】
すなわち、この請求項７に係る発明も、図３に示すような構造の植生枠３０Ａを、前述してきた請求項１〜４の植生工法において使用する資材としたものであり、通孔を有する前面枠３１及び背面枠３２と、これらの前面及び背面枠３１・３２を、折り畳み及び展開可能に側部にて連結する連結杆３３とにより構成したものである。
【００５６】
この植生枠３０Ａは、図３の（イ）に示すように、平板状の前面枠３１及び背面枠３２と、これらの前面及び背面枠３１・３２を折り畳み及び展開可能に側部にて連結する連結杆３３とからなるものであって、面状のものあるいは棒状状のものだけで構成されるものであるから、デッドスペースを生ずることなく効率的に保管や運搬ができるものとなっているのである。これら各部材を外しておけば、この植生枠３０Ａは、植栽面１１上への搬入が簡単に行えるものとなっているのである。
【００５７】
また、この植生枠３０Ａは、乾湿法面１０の植栽面１１上に設置する前に、例えば前面枠３１または背面枠３２のいずれか一方のコーナー部に各連結杆３２を組み付けておいてこれを乾湿法面１０の植栽面１１上に降ろすようにしても、その植栽面１１上への搬入が簡単に行える。勿論、この植栽面１１上では、降ろされた部材の内の各連結杆３２の自由端を背面枠３２または前面枠３１のコーナー部に回転自在に連結すればよい。
【００５８】
勿論、この植生枠３０Ａは、図３の（イ）に示すように、前面枠３１及び背面枠３２のコーナー部のそれぞれを連結杆３３によって連結すれば、図１に示すような側面視が四角形状のものとなる。また、前面枠３１と背面枠３２との間、あるいはこれらと各連結杆３３との間が回動可能になっていることは、上述したように、施工のために乾湿法面１０の上から降ろす際に、当該植生枠３０Ａは平板状に折り畳めることを意味する。そして、植栽面１１上に降ろされたら、これらを図３に示すように展開すればよいのである。
【００５９】
なお、この植生枠３０Ａは、前面枠３１及び背面枠３２のコーナー部のそれぞれ上側を連結杆３３によって連結し、下側については前面枠３１及び背面枠３２の下縁を番線等によって回動可能に連結すれば、図３の（ロ）に示すような側面視が三角形状のものとなることは言うまでもない。
【００６０】
また、この植生枠３０Ａも、その前面枠３１と背面枠３２との間に収納空間Ｒが形成できるから、この収納空間Ｒ内に蓬莱竹２０の挿入や、土２３あるいは客土５０の投入が簡単に行えるのである。そして、前面枠３１及び背面枠３２は、通孔を有するものであるから、収納空間Ｒ内の蓬莱竹２０に対する水分の補給が行えるだけでなく、これらの前面枠３１の「網目」によって客土５０等の洗掘も防止されることになり、さらには前述した「吸出し」も防止できるのである。
【００６１】
従って、この請求項７に係る植生枠３０Ａも、植栽面１１上に設置したとき、図１に示すように、乾湿法面１０との間に蓬莱竹２０を収納するための収納空間Ｒを形成することができるものであり、その前面枠３１によって収納空間Ｒ内の土２３や客土５０の洗掘あるいは吸出しを防止することができるものである。
【００６２】
上記課題を解決するために、請求項８に係る発明の採った手段は、上記請求項７に記載の植生枠３０Ａについて、
「収納空間Ｒを形成したとき、少なくとも前面枠３１の内側に当接可能な大きさで、中に入れた土２３または客土５０の洗掘あるいは吸出しを防止する程度の網目を有した洗掘・吸出防止材３４を有したものとしたこと」
である。
【００６３】
すなわち、この植生枠３０Ａは、上記請求項３の植生工法の説明で述べたように、少なくとも前面枠３１の内側に配置される洗掘・吸出防止材３４を有するものであり、この洗掘・吸出防止材３４によって収納空間Ｒ内の土２３や客土５０の洗掘あるいは吸出しが防止されるものである。
【００６４】
この洗掘・吸出防止材３４は、乾湿法面１０の植栽面１１上に植生枠３０Ａを設置する前に、これに取り付けておいても良いし、植生枠３０Ａの設置後、挿入するようにしても良い。
【００６５】
従って、この請求項８の植生枠３０Ａによれば、上記請求項７のそれと同様な効果を発揮する他、土２３や客土５０の洗掘・吸出防止をより一層効果的に行えるのである。
【００６６】
上記課題を解決するために、請求項９に係る発明の採った手段は、
「ダム湖、湖、池等の周囲に存在する乾湿法面１０の緑化を直根型特殊竹２０を使用して行う植生工法において使用され、乾湿法面１０の植生されない部分の洗掘及び吸出しを防止するための植生資材であって、
この植生資材を、乾湿法面１０上の、直根型特殊竹２０が植栽されない部分を覆う接地シート４１と、この接地シート４１上に配置されて複数の消波凹凸４２ａを有した凹凸材４２と、この凹凸材４２を接地シート４１に固定するために、接地シート４１に固定される通水シート４３とにより構成したことを特徴とする洗掘・吸出防止マット４０」
である。
【００６７】
すなわち、この請求項９に係る洗掘・吸出防止マット４０は、上述した載置枠３０Ｂや植生枠３０Ａと同様に、請求項１〜４の植生工法を行うに当たって補助的に使用される植生資材であり、乾湿法面１０の、蓬莱竹２０による植栽が行われない部分の洗掘及び吸出しを防止するものであり、請求項１〜４の植生工法をより一層効果的に行えるようにするものである。
【００６８】
つまり、この洗掘・吸出防止マット４０は、図６に示すように、乾湿法面１０に各蓬莱竹２０が植栽されない部分が形成される場合に、この部分に設置されるものであり、図７及び図８に示すように施工されるものである。そして、この洗掘・吸出防止マット４０は、図９に示すような構造及び構成を有したものである。
【００６９】
図９の（ロ）に示すように、この洗掘・吸出防止マット４０は、乾湿法面１０上の、蓬莱竹２０が植栽されない部分を覆う接地シート４１と、この接地シート４１上に配置されて複数の消波凹凸４２ａを有した凹凸材４２と、この凹凸材４２を接地シート４１に固定するために、接地シート４１に固定される通水シート４３とにより構成したものである。これらの接地シート４１及び通水シート４３は、図９の（イ）に示すような縫着４４によって、内部に複数の凹凸材４２を入れた状態で一体化されるものである。
【００７０】
なお、以下に示す最良形態では、接地シート４１上に補助シート４５を配置してから各凹凸材４２を載置するようにしてあるが、この補助シート４５は接地シート４１の保護、及び縫着４４の強度を保持するためのものであり、必ずしも必要なものではない。また、通水シート４３に「袋状部」を形成しておくか、この通水シート４３に補助シート４５を一体化する際にこれらの間に「袋状部」を形成しておき、この袋状部内に各凹凸材４２を収納するようにしてもよいことは、後述の最良形態で説明する通りである。
【００７１】
接地シート４１や補助シート４５は、合成樹脂等の種々な材料によってシート状に形成したものであり、後述する最良形態では、網目状のものとして形成したものである。凹凸材４２は、例えば「ヤシガラ」を使用して四角柱形状を維持できるようにしたものであり、通水シート４３は、接地シート４１や補助シート４５と同様に、種々な材料によってシート状あるいは網目状物として形成したものである。なお、この通水シート４３については、ある程度の剛性を有する材料によって形成することにより、各凹凸材４２を収納できる凹凸状のものとして形成しておけば、図９の（イ）に示したような一体物に形成する際に簡単にすることができる。
【００７２】
この洗掘・吸出防止マット４０を乾湿法面１０上に施工するには、図７あるいは図８に示すように、乾湿法面１０上に展開し、アンカー３５を使用して乾湿法面１０に対して固定することにより行われる。この場合、広い面積の乾湿法面１０上に対して施工するには、図８の（ロ）に示すように、複数の洗掘・吸出防止マット４０を使用するとともに、各洗掘・吸出防止マット４０については重なり部分４０ａが存在するようにして、この重なり部分４０ａ部分にアンカー３５を打ち付けるのである。
【００７３】
以上のような洗掘・吸出防止マット４０の乾湿法面１０上に対する施工が完了すると、乾湿法面１０の施工された面には、図６及び図７に示すような消波凹凸４２ａが多数形成されることになる。これらの消波凹凸４２ａは、これに向けて押し寄せてきた波のエネルギーを吸収し、乾湿法面１０表面に直接伝わらないようにする。
【００７４】
従って、この請求項９の洗掘・吸出防止マット４０によれば、蓬莱竹２０を植栽しない乾湿法面１０上の洗掘及び吸出しを防止し、乾湿法面１０の、各蓬莱竹２０の根２１が延びて来る部分を安定させ、結果的に、蓬莱竹２０を使用した植生工法を確実なものとするのである。
【発明の効果】
【００７５】
以上、詳述した通り、本発明においては、
「ダム湖、湖、池等の周囲に存在する乾湿法面１０に、次の各工程を経て直根型特殊竹２０を植え付けることにより、この乾湿法面１０の緑化を行う植生工法。
【００７６】
（１）直根型特殊２０の植栽が可能な植栽面１１を、乾湿法面１０に形成する工程；
（２）各植栽面１１上に直根型特殊竹２０を植え付ける工程。」
にその構成上の主たる特徴があり、これにより、ダム湖、湖、池等の周囲の乾湿法面の緑化あるいは植生を簡単かつ確実に行うことができるのである。
【００７７】
また、本発明では、
「ダム湖、湖、池等の周囲に存在する乾湿法面１０上に植栽面１１を形成して、この植栽面１１上に直根型特殊竹２０を植え付ける植生工法において使用される植生資材であって、
この植生資材を、下面が植栽面１１上に設置される載置面３１ａとなり、通孔を有する載置枠３０Ｂにより構成し、この載置枠３０Ｂを植栽面１１上に設置したとき、乾湿法面１０との間に直根型特殊竹２０を収納するための収納空間Ｒの形成を可能にしたことを特徴とする載置枠３０Ｂ」
あるいは、
「ダム湖、湖、池等の周囲に存在する乾湿法面１０上に植栽面１１を形成して、この植栽面１１上に直根型特殊竹２０を植え付ける植生工法において使用される植生資材であって、
この植生資材を、通孔を有する前面枠３１及び背面枠３２と、これらの前面及び背面枠３１・３２を、折り畳み及び展開可能に側部にて連結する連結杆３３とにより構成した植生枠３０Ａとし、植栽面１１上に設置されるに際し、直根型特殊竹２０を収納するための収納空間Ｒを有するものとして展開可能にしたことを特徴とする植生枠３０Ａ」
にその構成上の主たる特徴があり、これにより、直根型特殊竹２０を使用した乾湿法面１０の植生工法を安定的に行うことができるのである。
【００７８】
さらに、本発明においては、
「ダム湖、湖、池等の周囲に存在する乾湿法面１０の緑化を直根型特殊竹２０を使用して行う植生工法において使用され、乾湿法面１０の植栽されない部分の洗掘及び吸出しを防止するための植生資材であって、
この植生資材を、乾湿法面１０上の、直根型特殊竹２０が植栽されない部分を覆う接地シート４１と、この接地シート４１上に配置されて複数の消波凹凸４２ａを有した凹凸材４２と、この凹凸材４２を接地シート４１に固定するために、接地シート４１に固定される通水シート４３とにより構成したことを特徴とする洗掘・吸出防止マット４０」
にその構成上の特徴があり、これにより、直根型特殊竹２０が植栽されない乾湿法面１０洗掘及び吸出しを防止することができて安定化させることができるのである。
【発明を実施するための最良の形態】
【００７９】
次に、以上のように構成した各請求項に係る発明を、図面に示した最良の形態について説明すると、図１には、蓬莱竹２０を代表とする直根型特殊竹を使用した本発明による植生方法の施工後の乾湿法面１０、及びこの施工の際に使用された植生枠３０Ａの断面図が示してある。
【００８０】
この図１に示した乾湿法面１０では、蓬莱竹２０の植栽が可能な植栽面１１が、間を詰めた間隔で横方向に複数形成してあり、これら各植栽面１１上には蓬莱竹２０が、植生枠３０Ａを使用して植え付けてある。なお、本発明を実施するに当たっては、この植生枠３０Ａや後述する載置枠３０Ｂは必ずしも必要がないことは前述した通りである。
【００８１】
植生されるべき蓬莱竹２０は、施工後に発根及び生育するものであってもよいが、本最良形態では、施工する前にある程度まで生育したものを採用した。つまり、この施工時に採用した蓬莱竹２０は、図５に示したような状態のものであり、土２３、及びこれの中にある程度延びた根２１をコモ包み２２によって保護し、葉もある程度付いたものである。このような図５に示した状態の蓬莱竹２０は、このようになるまで工場生産されるものであるが、運搬や施工が容易に行えるだけでなく、施工後の生育も早く確実なため、非常に有効である。
【００８２】
さて、植生資材は、乾湿法面１０上に形成した植栽面１１上に蓬莱竹２０を植え付ける植生工法において使用されるものであるが、この植生資材は、図３に示したような枠状物として形成した植生枠３０Ａと、図４に示したような載置枠３０Ｂとがある。
【００８３】
植生枠３０Ａは、蓬莱竹２０を植栽面１１上に植生するにあたって、図１〜図３に示したようにして使用される植生資材の一種であるが、この植生枠３０Ａは、図３の（イ）及び（ロ）に示したように、通孔を有する前面枠３１及び背面枠３２と、これらの前面及び背面枠３１・３２を、折り畳み及び展開可能に側部にて連結する連結杆３３とにより構成したものである。そして、この植生枠３０Ａは、乾湿法面１０上に形成した植栽面１１上に設置されるに際し、蓬莱竹２０を収納するための収納空間Ｒを有したものとして展開可能にしたものである。
【００８４】
この植生枠３０Ａは、図３の（イ）に示したように、前面枠３１及び背面枠３２のコーナー部のそれぞれを連結杆３３によって連結することにより、図１に示したような側面視が四角形状のものとすることができる。また、この植生枠３０Ａにおいて、両前面枠３１と背面枠３２との間、あるいはこれらと各連結杆３３との間が回動可能になっていることによって、施工のために乾湿法面１０の上から降ろす際に、当該植生枠３０Ａが平板状に折り畳めるのであり、また、植栽面１１上に降ろされたら、これらを図３に示すように展開することができるものである。
【００８５】
なお、前面枠３１及び背面枠３２のコーナー部のそれぞれ上側を連結杆３３によって連結し、下側については前面枠３１及び背面枠３２の下縁を番線等によって回動可能に連結することによって、図３の（ロ）に示したような側面視が三角形状のものとすることができるものである。
【００８６】
また、この植生枠３０Ａの前面枠３１及び背面枠３２については、金属棒を格子状に組んで、それぞれを連結あるは溶接することにより構成される他、外周枠に網状シートや金網等を張設することにより、通孔を有したものとして構成されるものである。
【００８７】
さらに、この図３に示した植生枠３０Ａは、その前面枠３１と背面枠３２との間に収納空間Ｒが形成できるものであり、この収納空間Ｒ内に蓬莱竹２０の挿入や、土２３や客土５０の投入が簡単に行え、前面枠３１及び背面枠３２は、通孔を有するものであるから、収納空間Ｒ内の蓬莱竹２０に対する水分の補給が行えるだけでなく、これらの前面枠３１の「網目」によって土２３や客土５０の洗掘、あるいは吸出しも防止するのである。
【００８８】
一方、植生資材である載置枠３０Ｂは、図４に示したように、下面が植栽面１１上に設置される載置面３１ａとされる。そして、この載置枠３０Ｂは、網材を使用して形成することにより、通孔を有したものとして構成されるのである。この載置枠３０Ｂは、これを植栽面１１上に設置したとき、図４の（ロ）及び（ニ）に示したように、乾湿法面１０との間に蓬莱竹２０を収納するための四角形状あるいは円弧状の収納空間Ｒを形成するのである。
【００８９】
この載置枠３０Ｂは、植栽面１１上への載置を安定させる載置面３１ａを有するものではあるが、図４の（イ）及び（ハ）に示したように、当該載置枠３０Ｂを乾湿法面１０に対して固定する際に使用される留部３１ｂを、その周囲に形成したものである。この留部３１ｂは、これにアンカー３５を挿通して、このアンカー３５を乾湿法面１０に打ち込むことにより、当該載置枠３０Ｂの施工が簡単に行え、かつ施工後の安定化を確保するようにしたものである。
【００９０】
上述した各載置枠３０Ｂあるいは植生枠３０Ａについては、これが通孔を有するものであるから、この通孔が大きいとこれから水の流れや波が収納空間Ｒ内に侵入して、その中の土２３や客土５０を洗掘することが、あるいはこれとは逆に、収納空間Ｒ内の土２３や客土５０を吸出すことがあり得るため、そのようなことがないようにするための洗掘・吸出防止材３４が内側に張られることがある。
【００９１】
この洗掘・吸出防止材３４は、合成樹脂あるいは金属によって網状のものとして形成したもの、あるいは不織布のような材料によってシート状に形成したもの、さらにこれらを組み合わせたもの、そしてこれらの平らな状態のものだけでなく、筒状や袋状に形成したものとして実施される。いずれも、この洗掘・吸出防止材３４は、収納空間Ｒ内の土２３や客土５０が湖水等によって洗掘されないようにするだけでなく、植生枠３０Ａまたは載置枠３０Ｂ内へ入り込んだ水が外に出るときに、収納空間Ｒ内の土２３や客土５０をも外側に吸い出されてしまうことをフィルター作用によって防止するものである。
【００９２】
また、この洗掘・吸出防止材３４は、合成樹脂あるいは金属によって網状のものとして形成したり、不織布と強度のある樹脂ネットによって形成することができる。このような不織布と強度のある樹脂ネットによって形成した洗掘・吸出防止材３４は、樹脂ネットの強度によって植生枠３０Ａまたは載置枠３０Ｂの収納空間Ｒ内に収納したとき自立させることができるため、その施工を容易に行うことができるものとなる。なお、この洗掘・吸出防止材３４は、載置枠３０Ｂや植生枠３０Ａの内側に張られるものとする他、図９に示した後述する洗掘・吸出防止マット４０の補助シート４５として使用することもあるが、その場合の作用も、洗掘・吸出防止（この場合は乾湿法面１０の）となる。
【００９３】
勿論、この洗掘・吸出防止材３４は、載置枠３０Ｂの内側、あるいは植生枠３０Ａを構成している前面枠３１や背面枠３２の内側に予め、つまりこれらの載置枠３０Ｂや植生枠３０Ａを植栽面１１上に設置する前に取り付けておいたり、載置枠３０Ｂや植生枠３０Ａの設置後挿入するものである。
【００９４】
この洗掘・吸出防止材３４は、その全部または一部に硬質の合成樹脂を含む場合には、これによって「筒状」あるいは「袋状」のものに形成すると、これを少し広げることによって自立し得るものとなるから、これをそのまま植栽面１１上に設置された載置枠３０Ｂや植生枠３０Ａ内に収納することにより、これらの内側への配置が簡単に行える。そして、このような洗掘・吸出防止材３４は自立しているから、その中への蓬莱竹２０や土２３等の挿入も何らの器具を必要としないで行えることになる。
【００９５】
さて、図６には、植栽面１１を疎らに形成した乾湿法面１０の断面が示してあるが、この場合には、蓬莱竹２０が植栽されない乾湿法面１０の表面に、その洗掘・吸出防止を図るための植生資材としての洗掘・吸出防止マット４０が施工される。この洗掘・吸出防止マット４０は、乾湿法面１０上の、蓬莱竹２０が植栽されない部分を覆う接地シート４１と、この接地シート４１上に配置されて複数の消波凹凸４２ａを有した凹凸材４２と、この凹凸材４２を接地シート４１に固定するために、接地シート４１に固定される通水シート４３とにより構成したものである。これらの接地シート４１及び通水シート４３は、図９の（イ）に示したような縫着４４によって、内部に複数の凹凸材４２を入れた状態で一体化されるものである。本最良形態では、接地シート４１及び通水シート４３の間に補助シート４５が介装される。
【００９６】
接地シート４１や補助シート４５は、合成樹脂あるいは金属によって網状のものとして形成したもの、あるいは不織布のような材料によってシート状に形成したもの、さらにこれらを組み合わせた材料によってシート状に形成したものであり、網目状のものとして形成したものである。凹凸材４２は、例えば「ヤシガラ」を使用して四角柱形状を維持できるようにしたものであり、通水シート４３は、接地シート４１や補助シート４５と同様に、種々な材料によってシート状あるいは網目状物として形成したものである。
【００９７】
なお、この通水シート４３については、ある程度の剛性を有する材料によって形成することにより、各凹凸材４２を収納できる凹凸状のものとして形成しておくことができて、図９の（イ）に示したような一体物に形成する際に簡単にすることができる。また、この通水シート４３についてはこれ自体に、あるいはこれと接地シート４１や補助シート４５との間に袋状部を形成しておき、この袋状部内に、上述した各凹凸材４２を収納するようにしてもよい。
【００９８】
この洗掘・吸出防止マット４０を乾湿法面１０上に施工するには、図７あるいは図８に示したように、乾湿法面１０上に展開し、アンカー３５を使用して乾湿法面１０に対して固定することにより行われる。この場合、広い面積の乾湿法面１０上に対して施工するには、図８の（ロ）に示すように、複数の洗掘・吸出防止マット４０を使用するとともに、各洗掘・吸出防止マット４０については重なり部分４０ａが存在するようにして、この重なり部分４０ａ部分にアンカー３５を打ち付けるのである。
【００９９】
以上のような洗掘・吸出防止マット４０の乾湿法面１０上に対する施工が完了すると、乾湿法面１０の施工された面には、図６及び図７に示したような消波凹凸４２ａが多数形成されることになる。これらの消波凹凸４２ａは、これに向けて押し寄せてきた波のエネルギーを吸収し、乾湿法面１０表面に直接伝わらないようにするものである。
【０１００】
図１０及び図１１には、別の施工を施した乾湿法面１０の縦断面図が示してあるが、これらの例では、乾湿法面１０に少し深さのある「穴」を形成して、この穴の底面を植栽面１１としている。この穴の中には、図１０に示したように、前述してきた植生枠３０Ａや載置枠３０Ｂを挿入したり、あるいは図１１に示したように、これらの植生枠３０Ａや載置枠３０Ｂと、洗掘・吸出防止材３４とを挿入することがある。勿論、この穴の中には蓬莱竹２０が植栽されることは言うまでもない。
【０１０１】
この図１０に示した例では、載置面１１を有する穴の中に、植生枠３０Ａあるいは載置枠３０Ｂを挿入したものである。また、この例では、載置面１１を有する穴中に植え付けた蓬莱竹２０の根元表面に割栗石６０を敷き詰めているものであり、このようにすれば蓬莱竹２０の根元表面の少なくとも洗掘防止が果たされることは言うまでもない。
【０１０２】
図１１に示した例では、載置面１１を有する穴内に、植生枠３０Ａあるいは載置枠３０Ｂを挿入してから、その中に洗掘・吸出防止材３４を挿入したのである。そして、この洗掘・吸出防止材３４は、乾湿法面１０の下側にて植生枠３０Ａあるいは載置枠３０Ｂの網目あるいは格子から露出することになるものである。
【０１０３】
この図１１に示した例では、洗掘・吸出防止材３４は、図１１中の矢印で示したように、単に板状の洗掘・吸出防止材３４を穴の形状にあったものに折り曲げて挿入したり、あるいは、この洗掘・吸出防止材３４を筒状または袋状に形成したものを挿入するようにしたものである。
【０１０４】
この場合、この洗掘・吸出防止材３４が、その全部または一部に硬質の合成樹脂を含む場合には、これを少し広げることによって自立し得るものとなるから、これをそのまま植生枠３０Ａあるいは載置枠３０Ｂ内に収納することにより、その内側への配置が簡単に行える。そして、このような洗掘・吸出防止材３４は自立しているから、その中への蓬莱竹２０や土２３等の挿入も何らの器具を必要としないで行えることになる。
【産業上の利用可能性】
【０１０５】
本発明に係る植生方法、載置枠３０Ｂ、あるいは植生枠３０Ａは、基本的には蓬莱竹２０を使用した緑化を行うものであり、蓬莱竹２０の、根２１を下方に伸ばすという性質を有効に利用することができて、ダム湖の周囲の乾湿法面１０の緑化を確実に行うことができるだけでなく、蓬莱竹２０の生産者の活性化をも図ることができると考えられる。
【０１０６】
勿論、ダム湖では、耐用年数の短縮の一因となっている土砂の堆積が問題となっているが、このダム寿命の短縮化を防止できることについても、本発明の利用可能性が存在する。
【図面の簡単な説明】
【０１０７】
【図１】本発明による植生工法を適用した乾湿法面の部分縦断面図である。
【図２】図１に示した一つの植生枠を中心にして見た部分拡大縦断面図である。
【図３】本発明の植生工法において使用される植生資材の一例を示すもので、（イ）は全体斜視図、（ロ）は組み方を変えた植生枠の側面図である。
【図４】本発明の植生工法において使用される植生資材の他の例を示すもので、（イ）は正面図、（ロ）は平面図、（ハ）は施工したときの側面図、（ニ）は形状を変えた載置枠の平面図である。
【図５】コモ包みにした蓬莱竹の斜視図である。
【図６】本発明による植生工法を適用した他の乾湿法面の部分縦断面図である。
【図７】図６に示した植生工法において使用されている洗掘・吸出防止マットを示すもので、（イ）はその縦断面図、（ロ）は正面図である。
【図８】洗掘・吸出防止マットの施工例を示すもので、（イ）はアンカーによって固定したときの正面図、（ロ）は重なり部分を形成しながら施工した例を示す部分正面図である。
【図９】洗掘・吸出防止マットの詳細を示すもので、（イ）は横断側面図、（ロ）は分解側面図、（ハ）は平面図である。
【図１０】本発明による植生工法を適用した別の乾湿法面の部分縦断面図である。
【図１１】本発明による植生工法を適用したさらに別の乾湿法面の部分縦断面図である。
【図１２】特許文献１に示された従来技術を示す断面図である。
【図１３】特許文献２に示された従来技術を示す断面図である。
【図１４】特許文献３に示された従来技術を示す平面図である。
【図１５】特許文献４に示された従来技術を示す断面図である。
【図１６】特許文献５に示された従来技術を示す断面図である。
【符号の説明】
【０１０８】
１０    乾湿法面
１１    植栽面
２０    直根型特殊竹（蓬莱竹）
２１    根
２２    コモ包み
２３    土
３０Ａ  植生枠
３０Ｂ  載置枠
３１    前面枠
３１ａ  載置面
３１ｂ  留部
３２    背面枠
３３    連結杆
３４    洗掘・吸出防止材
３５    アンカー
４０    洗掘・吸出防止マット
４０ａ  重なり部分
４１    接地シート
４２    凹凸材
４２ａ  消波凹凸
４３    通水シート
４４    縫着
４５    補助シート
５０    客土
６０    割栗石
Ｒ    収納空間
【図１】
2007023501.tif 000003
【図２】
2007023501.tif 000004
【図３】
2007023501.tif 000005
【図４】
2007023501.tif 000006
【図５】
2007023501.tif 000007
【図６】
2007023501.tif 000008
【図７】
2007023501.tif 000009
【図８】
2007023501.tif 000010
【図９】
2007023501.tif 000011
【図１０】
2007023501.tif 000012
【図１１】
2007023501.tif 000013
【図１２】
2007023501.tif 000014
【図１３】
2007023501.tif 000015
【図１４】
2007023501.tif 000016
【図１５】
2007023501.tif 000017
【図１６】
2007023501.tif 000018